(57)【要約】【課題】マスターの種類（メッシュ数）に左右されない安定した製版を行える製版装置を提供する。【解決手段】多孔性支持体２に感熱フィルム３を貼着してなるマスター４は、製版に先立って透過式光センサ１０によって光透過率を測定される。制御手段は、光透過率が標準より大きい場合は、大きさの程度に応じて、キセノンランプ２１の駆動電圧を小さくして制御する。マスターと原稿６が重ねられ、調整された駆動電圧でマスター側からキセノンランプが閃光を発し、原稿画像が発熱してマスターが感熱製版される。マスターの多孔性支持体のメッシュ数に対応したエネルギで良好な製版が行なえる。【選択図】図１
2010110918.tif 000002
【特許請求の範囲】
【請求項１】
多孔性支持体に感熱フィルムを貼着してなるマスターと、カーボンを含む画像が形成された原稿を、前記マスターの前記感熱フィルムに前記原稿の前記画像が接するように重ねた状態で、前記マスターの側から光を照射して前記画像を発熱させることにより前記フィルムを前記画像のパターンで製版する光照射式製版手段と、
前記マスターの光透過率を検出する透過式光センサと、
前記透過式光センサが検出した前記マスターの光透過率に基づき、駆動時に前記光照射式製版手段が出力するエネルギを制御する制御手段と、
を有することを特徴とする製版装置。
【請求項２】
前記制御手段は、前記光透過率が基準値を下回る範囲では、前記光照射式熱製版手段を基準エネルギで駆動し、前記光透過率が前記基準値を上回る範囲のうち少なくとも前記基準値に連続する一部の範囲では、前記基準値からの前記光透過率の増大の程度に対応して前記基準エネルギよりも小さく設定された調整エネルギで前記光照射式熱製版手段を駆動することを特徴とする請求項１記載の製版装置。
【請求項３】
前記制御手段は、前記光透過率と、前記光照射式熱製版手段を駆動するためのエネルギとを対応させて記憶した記憶手段を有しており、
前記記憶手段においては、前記光透過率が、前記基準値を下回る第１の範囲と、前記基準値を上回る第２の範囲と、前記第２の範囲を上回る第３の範囲に区分されており、前記第１の範囲については前記基準エネルギが対応して記憶され、前記第２の範囲については光透過率が大きいほど前記基準値よりも小さく設定された前記調整エネルギが対応して記憶され、前記第３の範囲については最も小さい前記調整エネルギが対応して記憶されていることを特徴とする請求項２記載の製版装置。
【発明の詳細な説明】
【技術分野】
【０００１】
本発明は、多孔性支持体に感熱フィルムを貼着してなるマスターと、カーボンを含む画像が形成された原稿を、マスターの感熱フィルムに画像が接するように重ね、マスターの側から原稿に光を照射して画像を発熱させることにより、画像に接しているフィルムを画像のパターンで製版する光照射式製版手段を備えた製版装置に係り、特にマスターの多孔性支持体の種類の違いに起因する製版の不具合を防止できる製版装置に関するものである。
【背景技術】
【０００２】
孔版印刷では、和紙等の多孔性支持体に感熱フィルムを貼着してなるシート状のマスターが版として用いられている。このマスターを製版するために、カーボンを含む画像が形成された原稿を、マスターの感熱フィルムに画像が接するように重ね、マスターの側から原稿に光を照射して画像を発熱させることにより、画像に接しているフィルムを画像のパターンで製版する光照射式製版手段を備えた製版装置が知られており、広く使用されている。
【発明の開示】
【発明が解決しようとする課題】
【０００３】
前記光照射式製版手段による従来の製版装置においては、光照射式製版手段による閃光のエネルギは一定であり、特にマスターに応じて制御することはなかった。このため、マスターの多孔性支持体の種類（解像度（紗の密度を含む）、厚さ、材質等）が異なると、これを通過して原稿の画像を発熱させる閃光の量が異なってくるため、画像の発熱量にも差異が生じてしまい、これによってマスターのフィルムに形成される孔が小さすぎたり、全く孔が形成されなかったり、又は原稿とフィルムとが焼きついてしまうなど、適切な製版が行なえない場合があった。
【０００４】
本発明は、上述した課題を解決するものであり、マスターの多孔性支持体の種類に影響を受けることなく、常に安定した製版を行なうことができる光照射式製版手段による製版装置を提供することを目的としている。
【課題を解決するための手段】
【０００５】
請求項１に記載された製版装置は、
多孔性支持体に感熱フィルムを貼着してなるマスターと、カーボンを含む画像が形成された原稿を、前記マスターの前記感熱フィルムに前記原稿の前記画像が接するように重ねた状態で、前記マスターの側から光を照射して前記画像を発熱させることにより前記フィルムを前記画像のパターンで製版する光照射式製版手段と、
前記マスターの光透過率を検出する透過式光センサと、
前記透過式光センサが検出した前記マスターの光透過率に基づき、駆動時に前記光照射式製版手段が出力するエネルギを制御する制御手段と、
を有することを特徴としている。
【０００６】
請求項２に記載された製版装置は、請求項１記載の製版装置において、
前記制御手段は、前記光透過率が基準値を下回る範囲では、前記光照射式熱製版手段を基準エネルギで駆動し、前記光透過率が前記基準値を上回る範囲のうち少なくとも前記基準値に連続する一部の範囲では、前記基準値からの前記光透過率の増大の程度に対応して前記基準エネルギよりも小さく設定された調整エネルギで前記光照射式熱製版手段を駆動することを特徴としている。
【０００７】
請求項３に記載された製版装置は、請求項２記載の製版装置において、
前記制御手段は、前記光透過率と、前記光照射式熱製版手段を駆動するためのエネルギとを対応させて記憶した記憶手段を有しており、
前記記憶手段においては、前記光透過率が、前記基準値を下回る第１の範囲と、前記基準値を上回る第２の範囲と、前記第２の範囲を上回る第３の範囲に区分されており、前記第１の範囲については前記基準エネルギが対応して記憶され、前記第２の範囲については光透過率が大きいほど前記基準値よりも小さく設定された前記調整エネルギが対応して記憶され、前記第３の範囲については最も小さい前記調整エネルギが対応して記憶されていることを特徴としている。
【発明の効果】
【０００８】
請求項１に記載された製版装置によれば、マスターのフィルム側と原稿の画像側を重ねてマスター側から光照射式製版手段で光を照射し、原稿の画像を発熱させて接しているマスターのフィルムを画像のパターンで感熱穿孔することができる。ここで、マスターを本製版装置にセットした後、マスターの上に原稿を重ねる前に、透過式光センサがマスターの光透過率を検出する。又は、マスターの上に原稿を重ねた後、光照射式製版手段でマスターを製版する前に、マスターの原稿が重ねられていない部分において、透過式光センサがマスターの光透過率を検出する。そして、制御手段が、透過式光センサの検出結果に基づいて光照射式製版手段が駆動時に出力するエネルギを制御する。このため、マスターの解像度が異なり、多孔性支持体の紗の密度が異なっても、また厚さや素材が異なっても、光透過量に対応したエネルギで光照射式製版手段を制御するので、マスターの種類に左右されることなく、どのようなマスターであっても最適な状態で穿孔することができる。
【０００９】
請求項２に記載された製版装置によれば、光透過率が基準値を下回った場合は、光照射式製版手段を基準エネルギで駆動し、光透過率が基準値を上回った場合は、基準値からの光透過率の増大の程度に対応して基準エネルギよりも低く設定された調整エネルギで光照射式製版手段を駆動するので、マスターのフィルムの光透過率に基づく光照射式製版手段のエネルギ制御が適切に行なわれるので、請求項１記載の製版装置における効果を一層確実に達成することができる。
【００１０】
請求項３に記載された製版装置によれば、請求項２記載の製版装置において、前記制御手段は、複数の範囲に分けた光透過率と、光透過率の各範囲に対応して予め定められた光照射式製版手段のエネルギとをテーブル形式で記憶した記憶手段を有している。この記憶手段では、光透過率の範囲を３つの範囲に区分し、光透過率が最も小さい第１の範囲では基準エネルギが一定値として記憶され、第２の範囲では光透過率が大きいほど基準値よりも小さくなるように調整エネルギが記憶され、光透過率が最も大きい第３の範囲では最も小さい調整エネルギが一定値として記憶されているので、光反射センサでマスターのフィルムの光透過率が測定されていずれの範囲に属するかが決まれば、この記憶手段を参照して直ちに最適なエネルギを決定し、光照射式製版手段の駆動に適用することができるので、請求項２記載の製版装置における効果を一層確実に達成することができる。
【発明を実施するための最良の形態】
【００１１】
以下、本発明を実施するために特許出願人が出願時点で最良と思う本発明の実施の形態を図１〜図３を参照して説明する。
図１は実施形態に係る製版装置の正面図、図２は実施形態に係る製版装置のブロック構成図、図３は実施形態に係る製版装置の作用を示す流れ図である。
【００１２】
図１に示すように、本例の製版装置１は、多孔性支持体２に感熱フィルム３（以下、単にフィルム３とも呼ぶ）を貼着してなるマスター４と、カーボンを含む画像が形成された原稿６を、マスターの感熱フィルムに原稿６の画像が接するように重ね、マスター４の側から光を照射して画像を発熱させることによりフィルム３を画像のパターンに感熱穿孔して製版する装置である。本製版装置１は、マスター４を搬送する搬送手段として、複数対のローラ５を有している。図示の例では、所定間隔をおいて２対のローラ５，５が平行に配置されており、そのうち搬送方向の先方上側にあるローラ５が図示しないモータに駆動されてマスター４を搬送するようになっている。本例では、マスター４は多孔性支持体２を下側とし、感熱フィルム３を上側としてセットされ、原稿６はマスターの上側（フィルム３側）に画像を下に向けて重ねられる。
【００１３】
本例の製版装置１は、２対のローラ５，５の間に、光照射式製版手段７を有している。光照射式製版手段７は、上方に向けて拡径した筐体の内面に反射板が設けられた光照射部２０と、光照射部２０内に設けられた閃光手段としてのキセノンランプ２１と、光照射部２０の上開口に取り付けられてマスター４の多孔性支持体２に接する透光性のステージ２２とを備えている。さらに、光照射式製版手段１は、マスター４を挟んで光照射部２０と反対側に、回動操作されるカム２５によって昇降するプラテン２６が配置されている。プラテン２６が上昇すると、プラテン２６と光照射部２０の間に隙間が生じるので、マスター４や原稿６をローラ対５，５間に配置することができ、また製版時にプラテン２６を降下させることにより、重ねられた原稿６とマスター４を光照射部２０のステージ２２に押さえつけることができる。プラテン圧は一例として２００ｇ／ｃｍ2 とすることができる。
【００１４】
光照射式製版手段７が１回で製版可能な範囲（面積）はステージ２２の範囲であるため、マスター４及び原稿６の大きさがこれよりも大きい場合は製版は複数回に分けて行なわれる。すなわち、１回の製版が終わった後、プラテン２６を上昇させて押圧を解除し、ローラ５でマスター４及び原稿６を、製版１回分の搬送長さよりも短い距離だけ搬送し、所定のクロスオーバー領域（搬送方向の長さとして例えば５ｍｍ）だけ前の製版領域に重なるように次の製版領域をステージ２２上に設定し、プラテン２６を下降させてマスター４等を固定する。
【００１５】
本例の製版装置１は、マスター４の搬送方向に関して光照射式製版手段７よりも先方の位置に検出部８を有している。検出部８は、マスター４のフィルム３側に設けられてフィルム３に光を垂直に照射する光源９と、マスター４の多孔性支持体２側に設けられてマスター４を透過した光源９からの光を受け、マスター４の光透過率に対応する強度の検出信号を出力する透過式光センサ１０とによって構成されている。なお、光源９と透過式光センサ１０の配置関係は逆でもよい。
【００１６】
本例の製版装置１は、本装置の各部を統括して制御することにより製版動作を実行させるための制御手段１１を有している。また、本例の制御手段１１は、かかる製版動作において、透過式光センサ１０が検出したマスター４の光透過率に基づき、駆動時に光照射式製版手段７に与えるエネルギを制御して製版を適正に行なわせる機能を有している。
【００１７】
図２に示すように、本例の制御手段１１では、マスター４の製版に先立ち、２対のローラ５，５の間にマスター４がセットされた状態で、ＣＰＵ１２からの指示により検出部８（透過式光センサ１０）がマスター４の光透過率を検出する。
【００１８】
本例の制御手段１１では、読み取り・Ａ／Ｄ変換部１３が、検出部８（透過式光センサ１０）からの反射率の検出信号を読み取ってデジタル信号に変換する。
【００１９】
マスター４の光透過率を示す読み取り・Ａ／Ｄ変換部１３からのデジタル信号は、エネルギ決定回路１４に送られ、ＣＰＵ１２の指示により、エネルギ決定回路１４が有する記憶手段に記憶されたテーブル形式のデータを参照して光透過率に対応するエネルギを決定し、製版エネルギ調整信号を出力する。
【００２０】
エネルギ決定回路１４から製版エネルギ調整信号を入力された印加電圧発生回路１５は、ＣＰＵ１２の指示により、駆動電圧を調整して光照射式製版手段７のキセノンランプ２１を発光させて製版動作を行なわせる。
【００２１】
前記エネルギ決定回路１４における光透過率に応じたエネルギ調整の手法乃至エネルギ決定回路１４が有するテーブル形式の記憶手段の内容について説明する。
まず本例では、マスター４の光透過率については３５％を基準値とし、光透過率が３５％以下である第１の領域では光照射式製版手段７は基準エネルギで駆動されるものとする。この基準エネルギに相当する光照射式製版手段７の駆動電圧は１００（Ｖ）である。このような光透過率は、材質や厚さを一定とし、紗の密度（メッシュ数）だけが異なる複数種類の標準マスターから選択して対応させれば、そのメッシュ数は例えば４００又はこれよりも大きく密で光が通りにくいマスターに相当する。
【００２２】
次に、マスター４の光透過率が３５％を越え、６０％未満である第２の領域では、光照射式製版手段７は、基準値（３５％）からの光透過率の増大の程度に対応して基準エネルギよりも小さくなるように調整された調整エネルギに相当する駆動電圧で光照射式製版手段７を駆動する。具体的には、光透過率が３５％を越え４５％未満では９０（Ｖ）、４５％を越え６０％未満では８０（Ｖ）とされている。このような光透過率を前記標準マスターのメッシュ数でいえば、光透過率が３５％を越え４５％未満、駆動電圧９０（Ｖ）はメッシュ数３００に相当し、また４５％を越え６０％未満、駆動電圧８０（Ｖ）はメッシュ数１００に相当する。
【００２３】
次に、マスター４の光透過率が６０％を越える第３の領域では、光照射式製版手段７は、最も小さい調整エネルギに相当する駆動電圧である７０（Ｖ）で駆動される。このような光透過率は、前記標準マスターのメッシュ数でいえば５０又はこれよりも小さく疎で光が通りやすいマスターに相当する。
【００２４】
このように、エネルギ決定回路１４に設けた記憶手段では、光透過率が、前記基準値である３５％以下の第１の範囲と、前記基準値である３５％を越え６０％以下である第２の範囲と、６０％を越える第３の範囲に分けられており、それぞれの領域について基準エネルギ及び調整エネルギ（又はこれに対応する駆動電圧）が予め定められて次に示すようなテーブル形式で対応して記憶されている。
【００２５】
透過率                    基準及び調整エネルギ信号に相当する駆動電圧（Ｖ）
３５％以下                １００
３５％越え４５％未満        ９０
４５％越え６０％未満        ８０
６０以上                    ７０
【００２６】
なお、マスターの中には、フィルムが透明でなく、熱感度を良くするために着色したものも存在するが、その場合には、その他の条件が同じであれば、上述したテーブルの透過率ごとの駆動電圧はそれぞれ熱感度が良くなった分だけ下がる方向にシフトすることとなる。
【００２７】
次に、図３を参照して本例の製版装置１における製版動作について説明する。
製版が開始されると（Ｓ１）、検出部８は、実際の穿孔動作に先立って、ローラ５にセットされたマスター４の光透過率を測定する（Ｓ２）。制御手段１１は、検出部８（透過式光センサ１０）からの透過率の検出信号をデジタル化し、さらに検出した透過率に対応する基準又は調整エネルギ信号をエネルギ決定回路１４の記憶手段（テーブル）から取得し（Ｓ３）、この調整エネルギ信号を印加電圧発生回路１５に送る。印加電圧発生回路１５は、基準又は調整エネルギ信号から駆動信号を生成してエネルギ設定（パワー設定）を終了し（Ｓ４）、設定した駆動電圧を光照射式製版手段７に送って製版を開始する（Ｓ５）。
【００２８】
なお、本例では、光透過率の全範囲について対応する駆動信号を設定して製版可能としたが、図３に示すように、エネルギ決定回路１４において、例えば検出した透過率が１０％未満である場合は規格外としてエラー表示を行い（Ｓ６）、ユーザ処理待ちの状態となる（Ｓ７）ようにしてもよい。
【００２９】
次に、実際の製版動作について説明する。
前述したように、図１において２対のローラ５，５の間にマスター４をセットし、穿孔動作の前に検出部８（透過式光センサ１０）がマスター４の光透過率を検出する。プラテン２６が上昇位置にある間に原稿６をマスター４の上面（感熱フィルム３側）に載置し、プラテン２６を下降させて原稿６とマスター４をステージ２２との間に挟む。プラテン２６による圧力が最も高い点でキセノンランプ２１を発光させ、前述したようにマスター４の光透過率に対応して設定された駆動電圧で製版を行なう。
【００３０】
閃光により画像が発熱した原稿６と、これによって溶融したマスター４の感熱フィルム３とが弱く融着するので、原稿６とマスター４は一体となり、ローラ５によって両者を一体として移動させることが可能となる。ここでプラテン２６が上昇し、ローラ５がマスター４及び原稿６を所定方向に移動させ、所定のクロスオーバー領域をもって製版済みの領域と重なるように次の製版領域がステージ２２上に設定される。ここでプラテン２６が下降してマスター４と原稿６を固定し、プラテン２６による圧力が最も高い点でキセノンランプ２１を発光させ、次の製版を行なう。
以上の手順を適宜繰り返して原稿６の全画像をマスター４に製版する。
【００３１】
以上説明した実施形態では、光照射式製版手段としてキセノンランプ２１を例示したが、閃光を発して画像のカーボンを発熱させることが可能であれば、これに限らず他の発光手段、例えば赤外線ランプ等も用いることができる。
【図面の簡単な説明】
【００３２】
【図１】図１は実施形態に係る製版装置の正面図である。
【図２】図２は実施形態に係る製版装置のブロック構成図である。
【図３】図３は実施形態に係る製版装置の作用を示す流れ図である。
【符号の説明】
【００３３】
１…製版装置
２…多孔性支持体
３…感熱フィルム
４…マスター
５…搬送手段としてのローラ
６…原稿
７…光照射式製版手段
８…検出部
１０…透過式光センサ
１１…制御手段
１４…エネルギ決定回路
２０…光照射部
２１…キセノンランプ
【図１】
2010110918.tif 000003
【図２】
2010110918.tif 000004
【図３】
2010110918.tif 000005